(57)【特許請求の範囲】
【請求項１】
バーナボディと、バーナボディ上に設けられるバーナヘッドとを備え、バーナヘッドの下面外周部とバーナボディの上面外周部との一方に他方に当接する筒状壁が設けられ、筒状壁に、上下方向に長手の炎孔が周方向の間隔を存して多数形成されたコンロ用バーナであって、
各炎孔は、上下方向寸法が入口部から出口部に向かって次第に小さくなり、周方向幅が入口部から出口部に向かって次第に広くなり、入口部の面積と出口部の面積が同等であって、出口部の周長が入口部の周長よりも短くなるように形成されることを特徴とするコンロ用バーナ。
【請求項２】
前記各炎孔の入口部の周方向幅が消炎距離以下であることを特徴とする請求項１記載のコンロ用バーナ。
【発明の詳細な説明】
【技術分野】
【０００１】
本発明は、ガスコンロで用いるコンロ用バーナに関する。
【背景技術】
【０００２】
一般的なコンロ用バーナは、バーナボディ上に設けられるバーナヘッドの下面外周部にバーナボディに着座する筒状壁を垂設し、この筒状壁に、炎孔を周方向の間隔を存して多数形成して、炎孔から噴出する混合気をバーナヘッドの外周で燃焼させるようにした外炎式バーナで構成されている。
【０００３】
従来、このようなコンロ用バーナにおいて、特許文献１により、各炎孔を、上下方向寸法が入口部から出口部に向けて次第に小さくなると共に、周方向幅が入口部から出口部に向けて次第に狭くなるように形成したものが知られている。そして、このものでは、炎孔の出口面積が入口面積よりも小さくなるため、弱火での保炎性能が向上するとしている。
【特許文献１】特開２００５−１７２２７８号公報（図２、図４）
【発明の開示】
【発明が解決しようとする課題】
【０００４】
然し、上記従来例のものでは、バーナヘッドの温度が低い点火初期に弱火にすると、安定して燃焼しなくなる場合があることが分かった。本願発明者の鋭意努力の結果、その原因は、炎孔の出口部の周長が面積の割りに長くなり、火炎からバーナヘッドへの熱引けを生じ易くなるためであると判明した。
【０００５】
また、上記従来例の如く炎孔の出口部の面積を入口部の面積より小さくすると、強火での燃焼時に、混合気の噴出速度が速くなりすぎて、リフトを生じ易くなる。
【０００６】
本発明は、以上の点に鑑み、点火初期に弱火で安定燃焼させることができると共に、強火でのリフトも防止できるようにしたコンロ用バーナを提供することをその課題としている。
【課題を解決するための手段】
【０００７】
上記課題を解決するために、本発明は、バーナボディと、バーナボディ上に設けられるバーナヘッドとを備え、バーナヘッドの下面外周部にバーナボディに着座する筒状壁が垂設され、筒状壁に、上下方向に長手の炎孔が周方向の間隔を存して多数形成されたコンロ用バーナであって、各炎孔は、上下方向寸法が入口部から出口部に向かって次第に小さくなり、周方向幅が入口部から出口部に向かって次第に広くなり、入口部の面積と出口部の面積が同等であって、出口部の周長が入口部の周長よりも短くなるように形成されることを特徴とする。
【０００８】
本発明によれば、炎孔の出口部の面積が入口部の面積と同等であるにも拘らず、出口部の周長が入口部の周長より短くなる。そのため、炎孔の出口部における火炎からバーナヘッドへの熱引けが抑制され、バーナヘッドの温度が低い点火初期に弱火にしても、安定して燃焼する。また、炎孔の出口部の面積が入口部の面積と同等であるため、出口部での流速増加がなくなり、強火でのリフトも防止できる。
【０００９】
更に、本発明においては、各炎孔の入口部の周方向幅が消炎距離以下であることが望ましい。これによれば、炎孔の入口部で火炎伝播が阻止され、逆火を生じない。
【発明を実施するための最良の形態】
【００１０】
図１を参照して、１は図示省略したコンロ本体の上面を覆う天板、２はコンロ用バーナを示している。天板１にはバーナ用開口１ａが開設されている。また、天板１上には、バーナ用開口１ａを囲うようにして図示省略した五徳が載置される。そして、五徳に載置する鍋等の被加熱部がバーナ２で加熱される。
【００１１】
バーナ２は、コンロ本体内に設置される混合管３と、混合管３に接続されバーナ用開口１ａを通して天板１上に露出するバーナボディ４と、バーナボディ４上に着脱自在に載置されるバーナヘッド５とで構成される。コンロ本体内には、混合管３の上流端に臨む図示省略したガスノズルが設けられており、ガスノズルから噴出する燃料ガスと混合管３の上流端から吸引される一次空気との混合気がバーナボディ４に供給される。
【００１２】
バーナボディ４は、内筒部４１と外筒部４２とから成る内外２重筒構造に構成されている。バーナボディ４の外筒部４２の上端には、外曲げフランジ部４３が形成され、更に、外曲げフランジ部４３の外周から下方にのびるスカート部４４が形成されている。そして、スカート部４４に外嵌するカバーリング４５により、バーナ用開口１ａを上方から閉塞し、煮こぼれ汁がバーナ用開口１ａからコンロ本体内に落下することを防止している。
【００１３】
バーナヘッド５は、真鍮等の耐蝕金属製の鍛造品であって、環状に形成されている。バーナヘッド５の内周には、バーナボディ４の内筒部４１に嵌合する筒部５１が垂設され、また、バーナヘッド５の下面外周部には、バーナボディ４の上面外周部、即ち、外曲げフランジ部４３に着座する筒状壁５２が垂設されている。筒状壁５２には、上下方向に長手の炎孔５３が周方向の間隔を存して多数形成されている。かくして、バーナボディ４に供給された混合気が炎孔５３から噴出してバーナヘッド５の外周で燃焼する外炎式バーナが構成される。
【００１４】
尚、図２に示す如く、筒状壁５２の周囲１箇所には、点火炎孔５４が形成されており、点火炎孔５４に臨ませて配置した点火プラグ（図示せず）によりバーナ２への点火が行われる。また、五徳を構成する五徳爪に火炎が触れると燃焼不良を生ずるため、五徳爪と同一方位に位置する筒状壁５２の部分には、上下方向長さを短くした小炎孔５５を形成し、火炎が五徳爪に触れることを防止している。
【００１５】
ここで、バーナボディ４の外曲げフランジ部４３は、径方向外方に向かって上方に傾斜し、これに着座する筒状壁５２の下端も、径方向外方に向かって、即ち、各炎孔５３の入口部５３ａから出口部５３ｂに向かって上方に傾斜している。一方、各炎孔５３の上面は、入口部５３ａから出口部５３ｂに亘り略水平である。従って、各炎孔５３は、上下方向寸法が入口部５３ａから出口部５３ｂに向かって次第に小さくなる。図３（ａ）を参照して、本実施形態では、入口部５３ａの上下方向寸法Ｈｉｎを７．９ｍｍ、出口部５３ｂの上下方向寸法Ｈｏｕｔを４．６ｍｍに設定している。
【００１６】
また、各炎孔５３は、図３（ｂ）に明示する如く、周方向幅が入口部５３ａから出口部５３ｂに向かって次第に広くなるように形成されている。本実施形態では、入口部５３ａの周方向幅Ｗｉｎを消炎距離以下の１．１ｍｍに設定し、出口部５３ｂの周方向幅Ｗｏｕｔを１．９ｍｍに設定している。その結果、各炎孔５３の入口部５３ａの面積と周長は夫々８．６９ｍｍ２、１８ｍｍになり、出口部５３ｂの面積と周長は夫々８．７４ｍｍ２、１３ｍｍになる。
【００１７】
このように本実施形態では、各炎孔５３の出口部５３ｂの面積が入口部５３ａの面積と同等になるにも拘らず、出口部５３ｂの周長が入口部５３ａの周長よりも短くなる。そのため、炎孔５３の出口部５３ｂにおける火炎からバーナヘッド５への熱引けが抑制され、バーナヘッド５の温度が低い点火初期に弱火にしても、安定して燃焼する。また、炎孔５３の入口部５３ａの周方向幅Ｗｉｎが消炎距離以下であるため、火炎伝播が入口部５３ａで阻止され、逆火を生じない。
【００１８】
尚、炎孔５３の出口部５３ｂの面積は入口部５３ａの面積と同等、より具体的には、入口部５３ａの面積の０．９〜１．１倍に設定することが望ましい。これは、炎孔５３の出口部５３ｂの面積が入口部５３ａの面積の０．９倍未満になると、出口部５３ｂから噴出する混合気の流速が速くなって、強火にしたときにリフトし易くなり、また、炎孔５３の出口部５３ｂの面積が入口部５３ａの面積の１．１倍を越えると、出口部５３ｂの周長が長くなって、点火初期に弱火で安定燃焼できなくなるためである。
【００１９】
以上、本発明の実施形態について図面を参照して説明したが、本発明はこれに限定されない。例えば、上記実施形態では、バーナヘッド５の下面外周部にバーナボディ４の上面外周部に当接する筒状壁５２を設けて、これに炎孔５３を形成したが、バーナボディの上面外周部にバーナヘッドの下面外周部に当接する筒状壁を設けて、これに炎孔を形成することも可能である。
【図面の簡単な説明】
【００２０】
【図１】本発明の実施形態のコンロ用バーナの断面図。
【図２】実施形態のコンロ用バーナのバーナヘッドの下面図。
【図３】（ａ）実施形態のコンロ用バーナのバーナヘッドの要部の拡大断面図、（ｂ）図３（ａ）のＡ−Ａ線で切断したバーナヘッドの切断下面図。
【符号の説明】
【００２１】
２…コンロ用バーナ、４…バーナボディ、５…バーナヘッド、５２…筒状壁、５３…炎孔、５３ａ…入口部、５３ｂ…出口部。
【図１】
0004942701.tif 000002
【図２】
0004942701.tif 000003
【図３】
0004942701.tif 000004